(57)【要約】本発明により、無線通信システムでデータの通信方法が開示される。特に、この方法は、ネットワークエンティティーを要請する登録解除要請メッセージを通じてＭＳＳ（ｍｏｂｉｌｅ  ｓｕｂｓｃｒｉｂｅｒ  ｓｔａｔｉｏｎ）による要請を前記ネットワークエンティティーに伝送して優先セッション情報を保持するステップと、前記ネットワークエンティティーから登録解除コマンド応答を通じて選択されたセッション情報を受信するステップと、を含む。【選択図】図１
2008503976.tif 000002
【特許請求の範囲】
【請求項１】
アイドルモードに進入するためにデータを通信する方法であって、
ネットワークエンティティーを要請する登録解除要請メッセージを通じてＭＳＳ（ｍｏｂｉｌｅ  ｓｕＢＳｃｒｉｂｅｒ  ｓｔａｔｉｏｎ）による要請を前記ネットワークエンティティーに伝送して優先セッション情報を保持するステップと、
前記ネットワークエンティティーから登録解除コマンド応答を通じて選択されたセッション情報を受信するステップと、
を含むことを特徴とする方法。
【請求項２】
前記優先セッション情報は、優先セッション情報のリストであることを特徴とする請求項１に記載の方法。
【請求項３】
前記ネットワークエンティティーは、前記ＭＳＳがアイドルモードに進入することを追い求める基地局であることを特徴とする請求項１に記載の方法。
【請求項４】
前記ネットワークエンティティーは、サービング基地局であることを特徴とする請求項１に記載の方法。
【請求項５】
前記サービング基地局は、前記選択されたセッション情報をページンググループ内の複数の基地局またはページング制御器に伝送することを特徴とする請求項４に記載の方法。
【請求項６】
前記サービング基地局は、前記ＭＳＳ用アイドルモード活動を実行することを特徴とする請求項４に記載の方法。
【請求項７】
前記ページング制御器は、前記ＭＳＳ用アイドルモード活動を実行することを特徴とする請求項４に記載の方法。
【請求項８】
前記ネットワークエンティティーは、ページング制御器であることを特徴とする請求項１に記載の方法。
【請求項９】
前記ページング制御器は、前記選択されたセッション情報を前記ページンググループ内の複数のネットワークエンティティーに伝送することを特徴とする請求項８に記載の方法。
【請求項１０】
前記複数のネットワークエンティティーは、複数の基地局であることを特徴とする請求項９に記載の方法。
【請求項１１】
前記ページング制御器は、前記ＭＳＳ用アイドルモード活動を実行することを特徴とする請求項８に記載の方法。
【請求項１２】
前記登録解除要請メッセージは、通常モードを終了してアイドルモードに進入するための前記ＭＳＳによる要請を含むことを特徴とする請求項１に記載の方法。
【請求項１３】
前記選択されたセッション情報は、前記ネットワークエンティティーにより選択されたセッション情報を含むことを特徴とする請求項１に記載の方法。
【請求項１４】
前記選択されたセッション情報は、アイドルモード内の前記ＭＳＳ及び前記ネットワークエンティティーにより保持されたセッション情報のリストであることを特徴とする請求項１３に記載の方法。
【請求項１５】
前記ネットワークエンティティーから登録解除コマンドメッセージを受信するステップをさらに含むことを特徴とする請求項１に記載の方法。
【請求項１６】
前記登録解除コマンドメッセージは、前記ＭＳＳに前記登録解除要請メッセージを伝送するようにする要請を含むことを特徴とする請求項１５に記載の方法。
【請求項１７】
前記要請は、前記ＭＳＳが前記登録解除要請メッセージを伝送する特定時間を示すことを特徴とする請求項１６に記載の方法。
【請求項１８】
アイドルモードに進入するためにデータを通信する方法であって、
前記ネットワークエンティティーを要請する登録解除要請メッセージを通じてＭＳＳから要請を受信して優先セッション情報を保持するステップと、
前記ネットワークエンティティーから登録解除コマンド応答を通じて選択されたセッション情報を伝送するステップと、
を含むことを特徴とする方法。
【請求項１９】
前記ネットワークエンティティーを要請する登録解除要請メッセージを通じて前記ＭＳＳによる要請をネットワークエンティティーに伝送して優先セッション情報を保持するステップと、
前記ネットワークエンティティーから登録解除コマンド応答を通じて選択されたセッション情報を受信するステップと、をさらに含むことを特徴とする請求項１８に記載の方法。
【請求項２０】
前記ネットワークエンティティーから登録解除コマンドメッセージを受信するステップをさらに含むことを特徴とする請求項１８に記載の方法。
【請求項２１】
通信システムであって、
ネットワークエンティティーを要請する登録解除要請メッセージを通じて要請を前記ネットワークエンティティーに伝送して優先セッション情報を保持し、前記ネットワークエンティティーから登録解除コマンドを通じて選択されたセッション情報を受信するＭＳＳ（ｍｏｂｉｌｅ  ｓｕＢＳｃｒｉｂｅｒ  ｓｔａｔｉｏｎ）を含むことを特徴とする通信システム。
【請求項２２】
ネットワークエンティティーをさらに含み、
前記ネットワークエンティティーは、前記ネットワークエンティティーを要請する登録解除要請メッセージを通じてＭＳＳから要請を受信して優先セッション情報を保持し、前記ネットワークエンティティーから登録解除コマンド応答を通じて選択されたセッション情報を伝送することを特徴とする請求項２１に記載の通信システム。
【請求項２３】
ＭＳＳのロケーションを更新するためにネットワークエンティティーと通信する方法であって、
第１のネットワークエンティティーから前記ＭＳＳのロケーション更新を要請するＲＮＧ−ＲＥＱ（Ｒａｎｇｉｎｇ−Ｒｅｑｕｅｓｔ）メッセージを通じて第２のネットワークエンティティーに要請を伝送するステップと、
前記第２のネットワークエンティティーから応答メッセージを通じて更新される選択されたセッション情報を受信するステップと、
前記ＭＳＳのロケーションが前記第１のネットワークエンティティーから前記第２のネットワークエンティティーに更新された後、セッション情報を更新するためにネットワークエンティティー手続きを実行するステップと、
を含むことを特徴とする方法。
【請求項２４】
前記第１のネットワークエンティティーは、前記ＭＳＳがアイドルモードに進入するネットワークエンティティーであることを特徴とする請求項２３に記載の方法。
【請求項２５】
前記第１のネットワークエンティティー及び前記第２のネットワークエンティティーは、基地局またはページング制御器であることを特徴とする請求項２３に記載の方法。
【請求項２６】
前記ＭＳＳによりＲＮＧ−ＲＥＱメッセージを前記第２のネットワークエンティティーに伝送するステップをさらに含むことを特徴とする請求項２３に記載の方法。
【請求項２７】
前記ＲＮＧ−ＲＥＱメッセージは、前記ＭＳＳがアイドルモードに進入する前記第１のネットワークエンティティーの識別を含むことを特徴とする請求項２６に記載の方法。
【請求項２８】
前記選択されたセッション情報は、セッション情報のリストにより表示されることを特徴とする請求項２３に記載の方法。
【請求項２９】
前記セッション情報は、前記ＭＳＳ及び前記第２のネットワークエンティティーにより更新されることを特徴とする請求項２８に記載の方法。
【請求項３０】
前記第２のネットワークエンティティーは、基地局またはページング制御器であることを特徴とする請求項２８に記載の方法。
【請求項３１】
前記セッション情報リストは、前記ＭＳＳがネットワークに進入するネットワーク進入手続きを含むことを特徴とする請求項２８に記載の方法。
【請求項３２】
前記ネットワーク進入手続きは、前記ＭＳＳに保持された前記選択されたセッション情報及び前記第１のネットワークエンティティーを更新するステップを含むことを特徴とする請求項３１に記載の方法。
【請求項３３】
前記第２のネットワークエンティティーからページングメッセージを受信するステップをさらに含むことを特徴とする請求項２３に記載の方法。
【請求項３４】
前記ページングメッセージは、前記ＭＳＳの識別を含むことを特徴とする請求項３３に記載の方法。
【請求項３５】
前記ページングメッセージは、前記ＭＳＳがロケーション更新を実行するようにする前記ＭＳＳのアクションコードをさらに含むことを特徴とする請求項３４に記載の方法。
【請求項３６】
ＭＳＳのロケーションを更新するために前記ＭＳＳと通信する方法であって、
第１のネットワークエンティティーから前記ＭＳＳのロケーションの更新を要請するＲＮＧ−ＲＥＱメッセージを通じて前記ＭＳＳから第２のネットワークエンティティーに要請を受信するステップと、
前記第２のネットワークエンティティーからの応答メッセージを通じて更新される選択されたセッション情報を前記ＭＳＳに伝送するステップと、
前記ＭＳＳのロケーションが前記第１のネットワークエンティティーから前記第２のネットワークエンティティーに更新された後、セッション情報を更新するためにネットワーク進入を実行するステップと、
を含むことを特徴とする方法。
【請求項３７】
ＭＳＳを含む通信システムであって、
前記ＭＳＳは、第１のネットワークエンティティーから前記ＭＳＳのロケーションの更新を要請するＲＮＧ−ＲＥＱメッセージを通じて第２のネットワークエンティティーに要請を伝送し、、
前記第２のネットワークエンティティーからの応答メッセージを通じて更新される選択されたセッション情報を受信し、
前記ＭＳＳのロケーションが前記第１のネットワークエンティティーから前記第２のネットワークエンティティーに更新された後、セッション情報を更新するためにネットワーク進入を実行することを特徴とする通信システム。
【請求項３８】
少なくとも一つのネットワークエンティティーをさらに含み、
前記ネットワークエンティティーは、第１のネットワークエンティティーから前記ＭＳＳのロケーションの更新を要請するＲＮＧ−ＲＥＱメッセージを通じて前記ＭＳＳから第２のネットワークエンティティーに要請を受信し、
前記第２のネットワークエンティティーからの応答メッセージを通じて更新される選択されたセッション情報を前記ＭＳＳに伝送し、
前記ＭＳＳのロケーションが前記第１のネットワークエンティティーから前記第２のネットワークエンティティーに更新された後、セッション情報を更新するためにネットワーク進入を実行することを特徴とする請求項３７に記載の記録の通信システム。
【請求項３９】
ネットワークに進入するためにネットワークエンティティーと通信する方法であって、
要請をＲＮＧ−ＲＥＱメッセージを通じて第２のネットワークエンティティーに伝送するステップと、
第２のネットワークエンティティーからのＲＮＧ−ＲＳＰ（Ｒａｎｇｉｎｇ−Ｒｅｓｐｏｎｓｅ）メッセージを通じて選択されたセッション情報を受信するステップとして、前記選択されたセッション情報が第１のネットワークエンティティーから前記第２のネットワークエンティティーにより受信されるステップと、
前記第２のネットワークエンティティーのネットワークに進入するステップと、
を含むことを特徴とする方法。
【請求項４０】
前記第１のネットワークエンティティーは、前記ＭＳＳの最新更新されたセッション情報を保持することを特徴とする請求項３９に記載の方法。
【請求項４１】
前記第１のネットワークエンティティー及び第２のネットワークエンティティーは、基地局またはページング制御器であることを特徴とする請求項３９に記載の方法。
【請求項４２】
前記第２のネットワークエンティティーは、基地局またはページング制御器であることを特徴とする請求項３９に記載の方法。
【請求項４３】
前記第２のネットワークエンティティーは、前記ＭＳＳがアイドルモードに進入することを追い求めるネットワークエンティティーであることを特徴とする請求項３９に記載の方法。
【請求項４４】
前記ＲＮＧ−ＲＥＱメッセージは、前記ＭＳＳがアイドルモードに進入する前記第１のネットワークエンティティーの識別を含むことを特徴とする請求項３９に記載の方法。
【請求項４５】
前記選択されたセッション情報は、セッション情報のリストにより表示されることを特徴とする請求項３９に記載の方法。
【請求項４６】
前記セッション情報は、前記ＭＳＳ及び前記第２のネットワークエンティティーにより更新されることを特徴とする請求項４５に記載の方法。
【請求項４７】
前記第２のネットワークエンティティーは、基地局またはページング制御器であることを特徴とする請求項４５に記載の方法。
【請求項４８】
前記セッション情報リストは、前記ＭＳＳがネットワークに進入するネットワーク進入手続きを含むことを特徴とする請求項４５に記載の方法。
【請求項４９】
前記ネットワーク進入手続きは、前記ＭＳＳに保持された前記選択されたセッション情報及び前記第２のネットワークエンティティーを更新するステップを含むことを特徴とする請求項４８に記載の方法。
【請求項５０】
前記第２のネットワークエンティティーからページングメッセージを受信するステップをさらに含むことを特徴とする請求項３９に記載の方法。
【請求項５１】
前記ページングメッセージは、前記ＭＳＳの識別を含むことを特徴とする請求項３９に記載の方法。
【請求項５２】
前記ページングメッセージは、前記ＭＳＳがロケーション更新を実行するようにする前記ＭＳＳに対するアクションコードをさらに含むことを特徴とする請求項５１に記載の方法。
【請求項５３】
ネットワークに進入するためにＭＳＳと通信する方法であって、
前記ＭＳＳからＲＮＧ−ＲＥＱメッセージを通じて要請を受信するステップと、
ＲＮＧ−ＲＳＰメッセージを通じて選択されたセッション情報を前記ＭＳＳに伝送するとして、前記選択されたセッション情報は、第１のネットワークエンティティーから前記第２のネットワークエンティティーにより受信されるステップと、
前記ＭＳＳが前記第２のネットワークエンティティーのネットワークに進入するように許容するステップと、
を含むことを特徴とする方法。
【請求項５４】
ＭＳＳを含む通信システムであって、
前記ＭＳＳは、ＲＮＧ−ＲＥＱメッセージを通じて要請を第２のネットワークエンティティーに伝送し、
ＲＮＧ−ＲＳＰメッセージを通じて選択されたセッション情報を第２のネットワークエンティティーから受信し、前記選択されたセッション情報は、第１のネットワークエンティティーから前記第２のネットワークエンティティーにより受信され、
前記第２のネットワークエンティティーのネットワークに進入すると、
を含むことを特徴とする通信システム。
【請求項５５】
少なくとも一つのネットワークエンティティーをさらに含み、
前記ネットワークエンティティーは、前記ＭＳＳからＲＮＧ−ＲＥＱメッセージを通じて要請を受信し、
ＲＮＧ−ＲＳＰメッセージを通じて選択されたセッション情報を前記ＭＳＳに伝送し、前記選択されたセッション情報は、第１のネットワークエンティティーから前記第２のネットワークエンティティーにより受信され、
前記ＭＳＳが前記第２のネットワークエンティティーのネットワークに進入するように許容することを特徴とする請求項５４に記載の通信システム。
【請求項５６】
無線広帯域通信システムでデータを通信する方法であった、
要請メッセージを通じてネットワークアドレスを保持するための要請を第１のネットワークエンティティーに伝送するステップと、
前記第１のネットワークエンティティーから応答メッセージを受信した後、アイドルモードに進入するステップと、
アイドルモードの間に第２のネットワークエンティティーからページングメッセージを受信するステップと、
前記第２のネットワークエンティティーのネットワークに進入するステップと、
前記第２のネットワークエンティティーからＩＰパケットを受信するステップと、
を含むことを特徴とする方法。
【請求項５７】
前記ネットワークアドレスは、  ＩＰアドレスであることを特徴とする請求項５６に記載の方法。
【請求項５８】
前記要請メッセージは、ＤＲＥＧ−ＲＥＱ（ｄｅ−ｒｅｇｉｓｔｒａｔｉｏｎ  ｒｅｑｕｅｓｔ）メッセージであることを特徴とする請求項５６に記載の方法。
【請求項５９】
前記要請メッセージは、アイドルモードに進入するためのＭＳＳによる要請を含むことを特徴とする請求項５６に記載の方法。
【請求項６０】
前記要請メッセージは、前記第１のネットワークエンティティーに直接提供するための前記ＭＳＳのＩＰアドレスを含むことを特徴とする請求項５６に記載の方法。
【請求項６１】
前記要請メッセージは、前記ＭＳＳのＩＰ  アドレスを保持するための前記第１のネットワークエンティティーに対する要請を含むことを特徴とする請求項５６に記載の方法。
【請求項６２】
前記応答メッセージは、ＤＲＥＧ−ＣＭＤ（ｄｅ−ｒｅｇｉｓｔｒａｔｉｏｎ  ｃｏｍｍａＮＤ）メッセージであることを特徴とする請求項５６に記載の方法。
【請求項６３】
前記応答メッセージは、アイドルモードに進入するための前記ＭＳＳに対するコマンドを含むことを特徴とする請求項５６に記載の方法。
【請求項６４】
前記ページングメッセージは、前記ＭＳＳにダウンリンクデータを通知することを特徴とする請求項５６に記載の方法。
【請求項６５】
前記ダウンリンクデータは、前記ＩＰパケットであることを特徴とする請求項６４に記載の方法。
【請求項６６】
前記第１のネットワークエンティティー及び前記第２のネットワークエンティティーの中で少なくとも一つは、基地局、ページング制御器、アクセスゲートウェイ、または基地局制御器であることを特徴とする請求項５６に記載の方法。
【請求項６７】
前記ページング制御器は、アイドルモードから今後のＭＳＳネットワーク再進入を促進するにおいて有用な任意のＭＳＳサービス及び動作情報を保持することを特徴とする請求項６６に記載の方法。
【請求項６８】
前記ＩＰパケットを前記第１のネットワークエンティティーに伝達するためにルータと通信する第１のネットワークエンティティーをさらに含むことを特徴とする請求項５６に記載の方法。
【請求項６９】
前記ＩＰパケットの宛先アドレスは、前記第１のネットワークエンティティーに保持されたＭＳＳのＩＰアドレスであることを特徴とする請求項６８に記載の方法。
【請求項７０】
前記ルータは、ＩＰパケット宛先のリンク層アドレスを取得するためのＡＲＰ（ａｄｄｒｅｓｓ  ｒｅｓｏｌｕｔｉｏｎ  ｐｒｏｔｏｃｏｌ）要請を前記第１のネットワークエンティティーに伝送し、これに応答して前記第１のネットワークエンティティーは前記ＭＳＳに対するＡＲＰ応答を前記ルータに伝送することを特徴とする請求項６８に記載の方法。
【請求項７１】
前記ルータは、ＩＰパケット宛先のリンク層アドレスを取得するために近隣要請を前記第１のネットワークエンティティーに伝送し、前記第１のネットワークエンティティーは、前記ＭＳＳに対する近隣通知を前記ルータに伝送することを特徴とする請求項６８に記載の方法。
【請求項７２】
前記第１のネットワークエンティティーは、前記ＭＳＳ用ＡＲＰ応答を複数のネットワークエンティティーにブロードキャストすることを特徴とする請求項６８に記載の方法。
【請求項７３】
前記第１のネットワークエンティティーは、前記ＭＳＳ用近隣通知を複数のネットワークエンティティーにブロードキャストすることを特徴とする請求項６８に記載の方法。
【請求項７４】
前記ネットワークエンティティーの中で少なくとも一つは、基地局、ページング制御器、アクセスゲートウェイ、または基地局制御器であることを特徴とする請求項７２または請求項７３に記載の方法。
【請求項７５】
前記ページング制御器は、アイドルモードから今後のＭＳＳネットワーク再進入を促進するにおいて有用な任意のＭＳＳサービス及び動作情報を保持することを特徴とする請求項７４に記載の方法。
【請求項７６】
無線広帯域通信システムでデータを通信する方法であって、
要請メッセージを通じてネットワークアドレスを保持するための要請をＭＳＳから第１のネットワークエンティティーに受信するステップと、
応答メッセージを前記第１のネットワークエンティティーから前記ＭＳＳに伝送することにより前記ＭＳＳがアイドルモードに進入することを許容するステップと、
アイドルモードの間に第２のネットワークエンティティーからページングメッセージを伝送するステップと、
前記ＭＳＳが前記第２のネットワークエンティティーのネットワークに進入することを許容するステップと、
前記第２のネットワークエンティティーから前記ＭＳＳにＩＰパケットを伝送するステップと、
を含むことを特徴とする方法。
【請求項７７】
ＭＳＳを含む無線広帯域通信システムであって、
前記ＭＳＳは、要請メッセージを通じてネットワークアドレスを保持するための要請を第１のネットワークエンティティーに伝送し、
前記第１のネットワークエンティティーから応答メッセージを受信した後、アイドルモードに進入し、
アイドルモードの間に第２のネットワークエンティティーからページングメッセージを受信し、
前記第２のネットワークエンティティーのネットワークに進入し、
前記第２のネットワークエンティティーからＩＰパケットを受信することを特徴とする通信システム。
【請求項７８】
要請メッセージを通じてネットワークアドレスを保持するための要請をＭＳＳから第１のネットワークエンティティーに受信し、
応答メッセージを前記第１のネットワークエンティティーから前記ＭＳＳに伝送することにより前記ＭＳＳがアイドルモードに進入することを許容し、
アイドルモードの間に第２のネットワークエンティティーからページングメッセージを伝送し、
前記ＭＳＳが前記第２のネットワークエンティティーのネットワークに進入することを許容し、
前記第２のネットワークエンティティーから前記ＭＳＳにＩＰパケットを伝送する、
少なくとも一つのネットワークエンティティーをさらに含むことを特徴とする請求項７７に記載の通信システム。
【請求項７９】
無線広帯域通信システムでデータを通信する方法であって、
ＣＳ（ｃｏｎｖｅｒｇｅｎｃｅ  ｓｕｂｌａｙｅｒ）情報を保持するための要請を要請メッセージを通じて第１のネットワークエンティティーに伝送するステップと、
前記第１のネットワークエンティティーから応答メッセージを受信した後、アイドルモードに進入するステップと、
アイドルモードのに間第２のネットワークエンティティーからページングメッセージを受信するステップと、
前記第２のネットワークエンティティーのネットワークに進入するステップと、
前記第２のネットワークエンティティーからデータパケットを受信するステップと、
を含むことを特徴とする方法。
【請求項８０】
前記ＣＳ情報は、ＩＰアドレスを含むことを特徴とする請求項７９に記載の方法。
【請求項８１】
前記ＣＳ情報は、サービスフロー関連情報を含むことを特徴とする請求項７９に記載の方法。
【請求項８２】
前記サービスフロー関連情報は、アイドルモードの間に受信する前記ＭＳＳ用の優先サービスフローを含むことを特徴とする請求項８１に記載の方法。
【請求項８３】
前記データパケットは、前記第１のネットワークエンティティーに保持された前記ＣＳ情報に対応することを特徴とする請求項７９に記載の方法。
【請求項８４】
無線広帯域通信システムでデータを通信する方法であって、
ＣＳ（ｃｏｎｖｅｒｇｅｎｃｅ  ｓｕｂｌａｙｅｒ）情報を保持するための要請を要請メッセージを通じてＭＳＳから第１のネットワークエンティティーに受信するステップと、
前記第１のネットワークエンティティーから前記ＭＳＳに応答メッセージを伝送した後、アイドルモードに進入を許容するステップと、
アイドルモードの間に第２のネットワークエンティティーから前記ＭＳＳにページングメッセージを伝送するステップと、
前記第２のネットワークエンティティーのネットワークに前記ＭＳＳの進入を許容するステップと、
前記第２のネットワークエンティティーから前記ＭＳＳにデータパケットを伝送するステップと、
を含むことを特徴とする方法。
【請求項８５】
ＭＳＳを含む無線広帯域通信システムであって、
前記ＭＳＳは、ＣＳ情報を保持するための要請を要請メッセージを通じて第１のネットワークエンティティーに伝送し、
前記第１のネットワークエンティティーから応答メッセージを受信した後、アイドルモードに進入を許容し、
アイドルモードの間に第２のネットワークエンティティーからページングメッセージを受信し、
前記第２のネットワークエンティティーのネットワークに進入し、
前記第２のネットワークエンティティーからデータパケットを受信することを特徴とする通信システム。
【請求項８６】
要請メッセージを通じてＣＳ情報を保持するための要請をＭＳＳから第１のネットワークエンティティーに受信し、
応答メッセージを前記第１のネットワークエンティティーから前記ＭＳＳに伝送した後、アイドルモードに進入することを許容し、
アイドルモードの間に第２のネットワークエンティティーから前記ＭＳＳにページングメッセージを伝送し、
前記ＭＳＳが前記第２のネットワークエンティティーのネットワークに進入することを許容し、
前記第２のネットワークエンティティーから前記ＭＳＳにデータパケットを伝送する
少なくとも一つのネットワークエンティティーをさらに含むことを特徴とする請求項８５に記載の通信システム。
【発明の詳細な説明】
【技術分野】
【０００１】
本発明は、データの送受信方法に関し、より詳しくは、無線モバイル通信システムでデータを通信する方法に関する。
【背景技術】
【０００２】
広帯域無線アクセスシステムにおいてＭＳＳ（Ｍｏｂｉｌｅ  ＳｕＢＳｃｒｉｂｅｒ  Ｓｔａｔｉｏｎ）は、電力を低減するためにアイドルモードに進入することを許容する。ＭＳＳは、アイドルモードで同一ページングゾーンの基地局の間で移動する時、ハンドオーバー手続きを実行する必要がない。一般的に、ハンドオーバーの実行はＭＳＳがアイドルモードの間にアップリンク方向に伝送することを要求する。したがって、ＭＳＳが基地局（ＢＳ）に伝送する必要がないので、電力が低減される。
【０００３】
ＭＳＳは複数の基地局からなるページンググループに位置する。ページンググループによりカバーされるカバレージ領域はページングゾーンと呼ばれる。ページングゾーン内のページンググループの基地局は同一ページングサイクル及びページングオフセット値を共有する。
【０００４】
ＭＳＳはアイドルモードへの進入を要請するＢＳに要請メッセージを伝送する。その後、ＢＳはＭＳＳのアイドルモードへの進入を許容する応答メッセージを伝送する。ＢＳは応答メッセージにページンググループ識別、ページングサイクル値及びページングオフセット値を含む。要請はＤＲＥＧ−ＲＥＱ（ｄｅ−ｒｅｇｉｓｔｒａｔｉｏｎ  ｒｅｑｕｅｓｔ）メッセージを利用して行われる。
【０００５】
ＢＳは要請に応答してＭＳＳがアイドルモードに進入するように許容する応答メッセージを提供する。応答メッセージは、ページンググループ識別、ページングサイクル及びＢＳのページングオフセットを含む。応答はＤＲＥＧ−ＣＭＤ（ｄｅ−ｒｅｇｉｓｔｒａｔｉｏｎ  ｃｏｍｍａＮＤ）メッセージを利用して行われる。
【０００６】
また、ＢＳはアイドルモードに進入するＭＳＳのＭＡＣ（ｍｅｄｉｕｍ  ａｃｃｅｓｓ  ｇｒｏｕｐ）アドレスをページンググループに提供し、ＭＳＳはアイドルモードの間にページングメッセージを受信することができる。
【０００７】
ＢＳは、アイドルモードの間にＭＳＳがアイドルモードの維持または終了を希望するか、またはＭＳＳがレンジング動作を実行する必要があるかを問い合わせるメッセージを特定時間間隔（またはページングサイクルで言及される）でブロードキャストする。また、ＢＳはＭＳＳのダウンリンクデータがあることをＭＳＳに通知するためのページングメッセージを伝送することができる。
【０００８】
アイドルモードは、ＭＳＳまたはＢＳの中でいずれの一つにより終了できる。ＭＳＳがアップリンク方向にデータを伝送する必要がある場合には、ＭＳＳはアイドルモードをいつでも終了することができる。一方、ＢＳからのダウンリンクトラフィックが存在する場合には、ＢＳはＭＳＳにページングメッセージを通じてアイドルモードを終了するように通知し、ＭＳＳはそのデータを受信できる。また、アイドルモードのＭＳＳが他のページングゾーンへの移動のような多様な理由により特定時間スロットまたはページングサイクルでＢＳからページングメッセージを受信することが不可能な場合には、ＭＳＳはアイドルモードを終了する。
【０００９】
ここで、アイドルモードのＭＳＳはハンドオーバーを実行する必要なしにページングゾーンの境界内で自由にローミング（ｒｏａｍｉｎｇ）できるので、ＭＳＳが任意のダウンリンクトラフィックを受信すか、またはアップリンク方向にデータを伝送する必要がない。
【００１０】
ＭＳＳはダウンリンクトラフィックが存在するとＢＳからページングメッセージを通じて通知を受ける場合、アイドルモードを終了し、ネットワーク及び受信されたダウンリンクデータに再登録／再進入する。また、レンジング動作実行の一部として、ＭＳＳはＢＳがＭＳＳの位置及び効率的なＭＳＳ情報リストを更新するようにする。一方、ＭＳＳが任意の動作を実行しないようにページングメッセージを通じてコマンドを受信すれば、ＭＳＳはアイドルモードに残る。
【００１１】
しかし、ＭＳＳがアップリンク方向にデータを伝送する必要がある場合、またはＭＳＳが他のページングゾーンに移動した場合、ページンググループ内のＢＳはページンググループ内の他のＢＳに、ＭＳＳが同一ページングゾーンにその以上は存在しないのでアイドルモード内のＭＳＳのリストから対応するＭＳＳを削除するように通知する。
【００１２】
ＭＳＳが他のページングゾーンに移動するかまたはＢＳへの伝送がアイドルモードの間に発生する場合、対応するＭＳＳはアイドルモードを終了し、新しいページンググループの新しいＢＳに登録される必要がある。新しいＢＳとの登録時、ＭＳＳは開始から登録プロセスを通過する必要があり、この登録処理は以前ネットワークに対する初期登録プロセスと同一である。したがって、ＭＳＳは新しいネットワークと登録することに電力をさらに必要とし、登録プロセスを通過するにおいて一層長時間がかかる。
【００１３】
また、ＭＳＳが新しいページンググループに移動した後、以前ページンググループのアイドル情報の保持を希望する場合、ＭＳＳは新しいネットワークとの登録後、ＭＡＣ制御メッセージを通じてアイドルモードを要請しなければならない。その後、新しいページンググループのＢＳはアイドルモードの要請に応答する。さらに、このような手続きはＭＡＣ信号の増加をもたらして電力使用を増加させる。
【００１４】
図１は、アイドルモードを終了して受信されたダウンリンクトラフィックに対する通常のモードに復帰するＭＳＳを示した図である。ここで、ＭＳＳはアイドルモードに進入するためにＭＳＳにより要請が行われる時ごとにアイドルモードに進入する。また、ＭＳＳがＢＳからのコマンド時ごとにアイドルモードに進入したら、ＭＳＳはアイドルモードを終了して受信されたダウンリンクトラフィックに対する通常のモードに復帰する。
【００１５】
図１を参考すれば、ＭＳＳはＤＲＥＧ−ＲＥＱ及びＤＲＥＧ−ＣＭＤを通じてＢＳ（ＢＳ１−ホストＢＳ）との登録を解除する（ステップＳ１０）。ＭＳＳがアイドルモードに進入した後、ホストＢＳはページングアナウンスメントを通じて同一ページンググループで他のＢＳにＭＳＳがアイドルモードに進入したと通知する（ステップＳ１１）。ページングアナウンスメント時、ホストＢＳはＭＳＳのＭＡＣアドレスを含む。ページングアナウンスメントを受信する各々のＢＳは、そのページングリストにＭＳＳのＭＡＣアドレスを登録する。このようなページングリストはページングゾーン内のすべてのＢＳにより共有される。
【００１６】
アイドルモード時に、データはＭＳＳに伝送できる。このデータを受信するため、ＭＳＳはアイドルモードから抜け出る必要がある。その結果、ダウンリンクトラフィックが存在する時、ホストＢＳはページンググループ内のすべてのＢＳにデータをＭＳＳに伝達することを通知するためにページングアナウンスメントを伝送する（ステップＳ１２）。  これによって、各々のＢＳはページング間隔の間ホストＢＳから提供されたＭＡＣアドレスを利用してＭＳＳにページングメッセージを伝送する（ステップＳ１３）。
【００１７】
ＭＳＳはページンググループの各ＢＳからページングメッセージを受信する。ＢＳの中で一つ、すなわち、ＢＳ＃３から受信されたアクションコードが初期ネットワークエンティティーを示す“１０”に設定された場合、ＭＳＳはＢＳ＃３とのレンジング動作及び初期ネットワークエンティティー手続きを実行する（ステップＳ１４、ステップＳ１５）。ここで、レンジング動作はＭＳＳからのＲＮＧ−ＲＥＱメッセージ及びＢＳからのＲＮＧ−ＲＳＰメッセージを含む。ＭＳＳが初期ネットワークエンティティーを得た後、ＢＳ＃３はダウンリンクデータをＭＳＳに伝送する（ステップＳ１６）。
【００１８】
電力低減はアイドルモードに制限されない。アイドルモード以外の他の電力低減手段として、ＭＳＳは電力を低減するためにスリープモードに進入することができる。ＭＳＳがスリープモードに進入するため、ＭＳＳはスリープ要請（ＭＯＢ−ＳＬＰ−ＲＥＱ）メッセージを通じてスリープモードに進入するための要請をＢＳに伝送する。その後、ＢＳはＭＳＳがスリープ応答（ＭＯＢ−ＳＬＰ−ＲＳＰ）メッセージを通じてスリープモードに進入することを許容する応答メッセージを伝送する。ＭＯＢ−ＳＬＰ−ＲＥＱ及びＭＯＢ−ＳＬＰ−ＲＳＰメッセージはスリープモードの開始時間、最大／最小スリーピング間隔（フレーム）及び聴取間隔のような多様な情報を含む。
【００１９】
スリーピング間隔の終りで、ＢＳはどのダウンリンクトラフィックが存在するかをＭＳＳに通知するためにトラフィック指示（ＭＯＢ−ＴＲＦ−ＩＮＤ）メッセージを伝送する。受信するＭＳＳに対するダウンリンクトラフィックが存在しない場合、ＭＳＳはスリープモードに復帰できる。しかし、ダウンリンクデータが存在する場合には、ＭＳＳはダウンリンクトラフィックを受信するために通常モードに復帰する。
【００２０】
図２は、スリープモードを終了し、ダウンリンクトラフィックを受信するために通常モードに復帰するＭＳＳを示した図である。ここで、ＭＳＳはスリープモードに進入するためにＭＳＳによる要請時ごとにスリープモードに進入する。また、ＭＳＳがＢＳからのコマンド時ごとにアイドルモードに進入する場合、ＭＳＳはアイドルモードを終了してダウンリンクトラフィックを受信するために通常モードに復帰する。
【００２１】
図２を参照すれば、ＭＳＳはＭＯＢ−ＳＬＰ−ＲＥＱメッセージを通じてスリープモードに進入するための要請をＢＳに伝送する（ステップＳ２−０）。応答時、ＢＳはＭＯＢ−ＳＬＰ−ＲＳＰメッセージをＭＳＳに伝送する（ステップＳ２−１）。ＭＯＢ−ＳＬＰ−ＲＳＰメッセージには、スリープモードの開始時間（Ｍ）、最大／最小スリーピング間隔（フレーム）（Ｎ１、Ｎ２）及び聴取間隔（Ｌ１）のような情報が含まれる。
【００２２】
ＭＳＳはステップＳ２０及びステップＳ２１で設定された最大スリーピング間隔（Ｎ１）によってスリープモードに進入し、ＢＳは聴取間隔Ｌ１の間にＭＯＢ−ＴＲＦ−ＩＮＤメッセージを伝送する（ステップＳ２−２）。ＢＳはＭＳＳに対して受信するための任意のデータが存在するか否かを（肯定的／否定的）ＭＯＢ−ＴＲＦ−ＩＮＤメッセージを通じてＭＳＳに知らせる。また、任意のダウンリンクデータが存在するかどうかをチェックするためにＬ１の間にスリーピングから聴取または起動する。‘負の符号表示’に示したように、ダウンリンクデータがなければ、ＭＳＳはスリープモードに復帰する。しかし、聴取間隔後、スリーピング間隔またはスリーピングウィンドウサイズはスケジューリングされたスリープウィンドウ設定方法によって２倍になる。
【００２３】
ＢＳがスリーピング間隔の間にＭＳＳに伝送するためのデータを受信する場合、ＢＳは特定保存空間にデータを保存し、ＭＳＳがＭＯＢ−ＴＲＦ−ＩＮＤメッセージを通じてデータの通知を受ける時の次の聴取間隔まで待機する（ステップＳ２−３）。その後、ＭＳＳはスリープモードを起動してデータを受信するために通常モードに復帰する（ステップＳ２−４）。
【００２４】
通常モードで、ＩＰ（ｉｎｔｅｒｎｅｔ  ｐｒｏｔｏｃｏｌ）パケット（データ）がＭＳＳにより受信される場合、ルータはＩＰパケットを基地局を通じてＭＳＳに伝送する。ルータは、ＩＰのバージョン４（ＩＰｖ４）ではＡＲＰを利用し、ＩＰのバージョン６（ＩＰｖ６）ではＮＤ（ｎｅｉｇｈｂｏｒ  ｄｉｓｃｏｖｅｒｙ）を利用する。言い換えると、ＩＰパケットをＭＳＳに伝送する時、ルータはＡＲＰ及びＮＤプロトコルを利用してＭＳＳのＩＰアドレスに対応するターゲットリンク層アドレス（例えば、ＭＡＣアドレスまたはイーサネット（登録商標）アドレス）をサーチする。ＡＲＰはＩＰアドレスをＭＡＣアドレスまたはイーサネット（登録商標）アドレスのようなリンク層アドレスに変更する時に使用されるＩＰｖ４プロトコルである。
【００２５】
また、ＮＤプロトコルは、近隣リンクのリンク層アドレスを決定することに使用されるＩＰｖ６アドレスである。アドレスの変更はＩＰパケットヘッダー及びリンク層アドレスヘッダーが発生する時に行われる。このように、アドレス変更は出力されたＩＰパケットでだけ行われる。
【００２６】
一般的に、ＢＳがＭＳＳに要請または近隣要請をどのように伝送または放送するかに対しては明確に特定されない。特に、ＢＳによる特定役目または動作は通常モードの間に要請／近隣要請をＭＳＳに伝送する時に明確に定義されない。
【００２７】
さらに、スリープモードまたはアイドルモードの中でいずれの一つのモードでのＭＳＳは特定間隔／サイクルでの信号のみを受信する。その結果、ルータが受信されたデータをＭＳＳに伝送する必要がある場合、ＭＳＳがスケジューリングされた時間になるまでＡＲＰ要請または近隣要請に応答できないので、スリープモードまたはアイドルモードにある時に問題が発生する。結果的に、ターゲットＭＳＳは応答を伝送することができないので伝達失敗をもたらす。この問題によりＭＳＳがデータを受信できない場合もある。
【００２８】
上述のように、ルータからＭＳＳにデータを伝達するにおいて問題が発生する。特に、ＭＳＳのスリープモードまたはアイドルモードでの電力低減によりルータから受信されたデータはＭＳＳが特定時間まで受信できないので、ＭＳＳにより受信できなくなる。したがって、データは常にＭＳＳに伝送されることではない。
【発明の開示】
【発明が解決しようとする課題】
【００２９】
したがって、本発明は上述したような従来技術の問題点を解決するためになされたもので、その目的は、アイドルモードに進入し、アイドルモードの間にロケーションを更新し、アイドルモード後にネットワークに再進入するためにＭＳＳとネットワークエンティティーの間でデータを通信する方法を提供することにある。
【課題を解決するための手段】
【００３０】
前記目的を達成するための本発明によるアイドルモードに進入するためにデータを通信する方法は、優先セッション情報を保持するためにネットワークエンティティーを要請する登録解除要請メッセージを通じてＭＳＳによる要請をネットワークエンティティーに伝送するステップと、選択されたセッション情報をネットワークエンティティーから登録解除コマンド応答を通じて受信するステップと、を含む。
【００３１】
本発明の他の様態では、ＭＳＳのロケーションを更新する方法は、第１のネットワークエンティティーからＭＳＳのロケーション更新を要請するＲＮＧ−ＲＥＱメッセ  ジを通じて第２のネットワークエンティティーに要請を伝送するステップと、第２のネットワークエンティティーから応答メッセージを通じて更新される選択されたセッション情報を受信するステップと、ＭＳＳのロケーションが第１のネットワークエンティティーから第２のネットワークエンティティーに更新された後にセッション情報を更新するためのネットワークエンティティー手続きを実行するステップと、を含む。
【００３２】
本発明のまた他の様態では、アイドルモード後にネットワークに進入する方法が開示される。特に、この方法は、ＲＮＧ−ＲＥＱメッセ  ジを通じて要請を第２のネットワークエンティティーに伝送するステップ、第２のネットワークエンティティーからＲＮＧ−ＲＳＰメッセ  ジを通じて選択されたセッション情報を受信するステップとして、選択されたセッション情報が第１のネットワークエンティティーから第２のネットワークエンティティーにより受信されるステップと、第２のネットワークエンティティーのネットワークに進入するステップと、を含む。
【００３３】
本発明のまた他の様態では、ＭＳＳのネットワークアドレスを保持するためにネットワークエンティティーに要請する方法が開示される。この方法は、要請メッセージを通じてネットワークアドレスを保持するための要請を第１のネットワークエンティティーに伝送するステップと、第１のネットワークエンティティーから応答メッセージを受信した後にアイドルモードに進入するステップと、アイドルモードの間に第２のネットワークエンティティーからページングメッセージを受信するステップと、第２のネットワークエンティティーのネットワークに進入するステップと、第２のネットワークエンティティーからＩＰパケットを受信するステップと、を含む。
【００３４】
本発明のまた他の様態では、ＣＳ（ｃｏｎｖｅｒｇｅｎｃｅ  ｓｕｂｌａｙｅｒ）情報を保持するためにネットワークエンティティーを要請する方法が開示される。この方法は、ＣＳ情報を保持するための要請を要請メッセージを通じて第１のネットワークエンティティーに伝送するステップと、第１のネットワークエンティティーから応答メッセージを受信した後にアイドルモードに進入するステップと、アイドルモードの間に第２のネットワークエンティティーからページングメッセージを受信するステップと、第２のネットワークエンティティーのネットワークに進入するステップと、第２のネットワークエンティティーからデータパケットを受信するステップと、を含む。
【００３５】
本発明に係る前述した課題を解決するための手段の説明と後述する実施形態の説明は、例示であり、説明目的のものであり、本発明のさらなる説明を提供することを意図していることを理解すべきである。
【発明を実施するための最良の形態】
【００３６】
以下、本発明の好ましい実施の形態について、添付図面を参照しつつ詳細に説明する。なお、図面中、同一の構成要素及び部分には、可能な限り同一の符号及び番号を共通使用するものとする。
【００３７】
アイドルモードに進入する時、ＭＳＳは要請メッセージを通じてＭＳＳのネットワークエンティティーセッション情報を伝送する。ネットワークエンティティーは、基地局、ページング制御器、アクセスゲートウェイまたは基地局制御器である。好ましくは、セッション情報は、ネットワークエンティティーが保持するＭＳＳのセッション情報のリストである。特に、ＭＳＳが優先するセッション情報はネットワーク再進入関連サービス及びアイドルモードから追加ネットワーク再進入を活用するための動作情報に関するものである。
【００３８】
また、要請メッセージはＭＳＳによりアイドルモードに進入するための要請を含む。例えば、要請メッセージはＤＲＥＧ−ＲＥＱメッセージである。さらに、要請メッセージはＭＳＳがネットワークエンティティーが保持することを希望する優先セッション情報を含む。特に、セッション情報は、保安情報、ＩＰアドレス情報、ＭＳＳ能力、管理連結識別及びネットワークサービスを維持するために必須的な情報のような情報を含む。
【００３９】
優先セッション情報（またはセッション情報リスト）を受信した後、ネットワークエンティティーは保持するように決定されたセッション情報を選択する。その後、ネットワークエンティティーはネットワークエンティティー選択セッション情報を応答メッセージを通じてＭＳＳに通知する。選択されたセッション情報は、ＭＳＳから伝送された優先セッション情報と同一であるか、異なるかまたはこれらの組み合わせである。さらに、選択されたセッション情報は、任意のＭＳＳサービス及び動作情報を保持することによりアイドルモードから今後ＭＳＳ再進入に活用するためにネットワークエンティティー選択セッション情報のリストで構成される。さらに、選択されたセッション情報はＭＳＳとネットワークエンティティーとの間の効率的なサービスを保障するために使用される。
【００４０】
また、応答メッセージはＭＳＳによるアイドルモードへの進入をための要請に対する応答を含む。例えば、要請メッセージはＤＲＥＧ−ＣＭＤ（ｄｅ−ｒｅｇｉｓｔｒａｔｉｏｎ  ｃｏｍｍａＮＤ）メッセージである。応答メッセージで、ネットワークエンティティーは選択されたセッション情報を含む。
【００４１】
アイドルモードの間、ＭＳＳに対するダウンリンクトラフィックがある場合には、ネットワークエンティティーはページングメッセージを伝送する。そのページングメッセージにはダウンリンクデータを受信するＭＳＳに対する選択されたセッション情報が含まれる。通常、ページングメッセージは周期的にまたは特定時間間隔で伝送できる。その後、同一ページンググループ内のネットワークエンティティーはバックボーンネットワークを通じて他の選択されたセッション情報と共有する。その結果、ＭＳＳがアイドルモードを終了してネットワークに再進入する時、ＭＳＳはネットワーク再進入時に要求される一部手続き段階をバイパスすることができる。上述のように、ネットワークエンティティーによる選択されたセッション情報を保持することにより再進入の促進を可能とする。手続き段階は、例えば、ＩＰアドレス及び／または保安情報のような他のネットワークエンティティーと同時に共有できる段階を含む。
【００４２】
ＭＳＳが他のページンググループに移動してロケーションアップデートを要求する場合、他のページンググループ内の新しいネットワークエンティティーは、以前ページンググループのネットワークエンティティーから選択されたセッション情報を受信する。以前ページンググループのネットワークエンティティーは更新された最新ＭＳＳセッション情報を保持したネットワークエンティティーである。他のページンググループの新しいネットワークエンティティーは、以前ページンググループから受信した選択されたセッション情報をＭＳＳに伝送する。連続して、ＭＳＳのロケーション更新時、ＭＳＳは情報を更新するために新しいネットワークに再進入する。要約すれば、ＭＳＳのロケーション更新はＭＳＳが、例えば、一つのページングゾーン識別から他のページングゾーン識別に移動する時にだけ更新が行われる環境に基礎したページングゾーン識別により行われることができる。
【００４３】
また、ＭＳＳのロケーション更新は時間に基礎して行われることができる。言い換えれば、タイマー基盤のロケーション更新はスケジューラーを含んでＭＳＳ及びネットワークがロケーション更新を行う。例えば、タイマー基盤ロケーション更新スケジュールがＭＳＳとネットワークエンティティーとの間で１０秒間隔で設定される場合、ＭＳＳのロケーションはＭＳＳが移動するか否かに関係なく以前ロケーション更新を基礎として１０秒間隔で更新される。
【００４４】
ＭＳＳがページングメッセージを通じて複数のページンググループ識別を受信する時、ＭＳＳは対応するネットワークエンティティーに対するロケーション更新を要求する。ロケーションを更新する時、ＭＳＳはネットワークエンティティーに、以前ページンググループでアイドルモード進入を許容するネットワークエンティティーの識別と、ＭＳＳがアイドルモードに残す許容するページンググループのページンググループ識別を伝送する。その後、対応するネットワークエンティティーは、ページンググループ識別、ページングサイクル値及びページングオフセット値のような情報を応答メッセージを通じてロケーション更新要請に伝送し、他のページンググループに移動した後にＭＳＳがアイドルモードに残すことを許容する。
【００４５】
表１は、ＭＳＳのセッション情報のメッセージパラメーターの一例を示す。
【００４６】
【表１】
2008503976.tif 000003
表１のメッセージパラメーターは、ＴＬＶフォーマットのメッセージに含まれ、アイドルモードを終了する時にバイパスできるネットワーク登録手続きはビットマップフォーマットで表現できる。本発明の実施形態において、このような動作は、“Ｅｘｐｅｄｉｔｅｄ  ｎｅｔｗｏｒｋ  ｓｅｔｕｐ＿ｆｌａｇ”で表示される。
【００４７】
図３は、本発明の一実施形態によるＭＳＳバウンドダウンリンクトラフィックがアイドルモードの間に発生するときのシグナリングプロセスを示す。図３は、ダウンリンクトラフィックが存在する時にＭＳＳがアイドルモードを終了する手続きを示す。
【００４８】
ＭＳＳは、第１のネットワークエンティティーに、ＤＲＥＧ−ＲＥＱメッセージを通じてアイドルモードに進入するように要請する要請メッセージを伝送する（ステップＳ１０）。要請メッセージには、ネットワークエンティティーがネットワークに対する促進された今後の再進入のためにＭＳＳが優先するＭＳＳ優先セッション情報である。上述のように、ネットワークエンティティーは、基地局、ページング制御器、アクセスゲートウェイまたは基地局制御器である。このようなＭＳＳ優先セッション情報は、保安情報、ＩＰアドレス情報、ＭＳＳ能力、管理連結識別及びネットワークサービスを維持するために必須的な情報のような情報を含む。優先セッション情報メッセージは、表１のメッセージと類似なフォーマットである。
【００４９】
説明の目的上、ＭＳＳから優先セッション情報を受信するネットワークエンティティーは第１のネットワークエンティティーとして識別される。また、第２のネットワークエンティティーは、ＭＳＳがアイドルモードから再進入することを追い求めるネットワークエンティティーとして識別できる。要請メッセージを受信した後、第１のネットワークエンティティーはページンググループで同一ページング識別を有する少なくとも一つまたはすべての他のネットワークエンティティーにバックボーンチャンネルを通じて通知をブロードキャストすることにより、対応するＭＳＳはページンググループ内の各々のネットワークエンティティーに付加される（ステップＳ２０）。その後、第１のネットワークエンティティーは、要請メッセージに応答してＤＲＥＧ−ＲＥＱ−ＣＭＤを通じて選択されたセッション情報を対応するＭＳＳに伝送する（ステップＳ３０）。選択されたセッション情報はアイドルモードから今後のＭＳＳネットワーク再進入を促進するために有用な任意のＭＳＳサービス及び動作情報を含む。選択されたセッション情報は、ＭＳＳにより要請された優先セッション情報と同一であるか、異なるかまたはこれらの組み合わせである選択されたセッション情報のリストである。また、ＤＲＥＧ−ＣＭＤの伝送時に、ページングサイクル、ページングオフセット及びページング識別のような他の情報を含むことができる。ＤＲＥＧ−ＣＭＤはＭＳＳが要請されたアイドルモードに進入することを許容するコマンドまたはメッセージである。
【００５０】
第１のネットワークエンティティーからＤＲＥＧ−ＣＭＤを受信する時、ＭＳＳはアイドルモードに進入する。アイドルモードの間、ＭＳＳは第１のネットワークエンティティーから特定時間スロットまたは間隔でページングメッセージを受信することができる（ステップＳ４０）。ページングメッセージは任意のダウンリンクトラフィックが存在するかまたはアイドルモードを終了する時のような各種情報を含む。
【００５１】
アイドルモードの間、ＭＳＳが同一ページンググループ識別を有するページンググループまたは複数のページンググループ識別を有するページンググループ内で他のネットワークエンティティー（以下、“第２のネットワークエンティティー”）に移動することが可能である。ＭＳＳが同一ページング識別を有する同一ページンググループ内の第２のネットワークエンティティーに移動する場合（ステップＳ５０）、ＭＳＳは同一ページングサイクルで第２のネットワークエンティティーからページングメッセージと第１のネットワークエンティティーから受信されたページングオフセットとを受信する（ステップＳ６０）。
【００５２】
ダウンリンクトラフィックが第１のネットワークエンティティーに到逹する時と、第１のネットワークエンティティーがダウンリンクトラフィックをＭＳＳに通知する時（ステップＳ７０）、第１のネットワークエンティティーは、バックボーンネットワークを通じてダウンリンクトラフィックの存在とともにセッション情報をページンググループ内の他のネットワークエンティティーに伝送する（ステップＳ８０）。
【００５３】
第１のネットワークエンティティーから選択されたセッション情報を受信した後、第２のネットワークエンティティーは選択されたセッション情報及びダウンリンクトラフィックの存在を含むページングメッセージをＭＳＳに伝送する（ステップＳ９０）。ＭＳＳはＭＳＳのアイドルモード進入を許容する第１のネットワークエンティティーの識別をＲＮＧ−ＲＥＱメッセ  ジを通じて第２のネットワークエンティティーに伝送する（ステップＳ１００）。
【００５４】
第１のネットワークエンティティーの識別を受信した後、第２のネットワークエンティティーは、ＭＳＳがカバレージ領域に位置し、  第１のエンティティーが第１のネットワークエンティティーにより保持された対応するＭＳＳのセッション情報の伝送を要請することを第１のネットワークエンティティーに通知する（ステップＳ１１０）。
【００５５】
第１のネットワークエンティティーは、バックボーンチャンネルを通じて保持されたセッション情報を伝送することにより要請に応ずる（ステップＳ１２０）。また、第２のネットワークエンティティーは、ＲＮＧ−ＲＳＰメッセ  ジを通じて第２のネットワークエンティティーにより現在保持されたセッション情報のリストをＭＳＳに伝送する（ステップＳ１３０）。その結果、ＭＳＳがネットワークに対する再進入を実行する時、ネットワークに対する再進入に要求される任意の手続き段階はスキップできる。言い換えると、第２のネットワークエンティティーが任意のＭＳＳサービス及び動作情報を保持するので、同一情報はネットワークに対する再進入時に要求されない。同時に、ＭＳＳはネットワーク再進入時にＭＳＳによりスキップできる手続き段階をＲＮＧ−ＲＳＰメッセ  ジを通じて受信する。
【００５６】
第２のネットワークエンティティーから提供された情報に基礎して、ネットワークエンティティーまたは再進入手続きが行われる（ステップＳ１４０）。ネットワーク登録の手続き段階は、例えば、ＭＳＳ能力の交渉手続き、保安手続き、登録手続き、ＩＰアドレス取得手続きなどを含むことができる。また、データ受信のための連結を構築するため、ＭＳＳはネットワーク進入手続きと結合して必要な手続きを実行する。ネットワーク進入（または再進入）及びデータ受信のための手続きが完了された後、第２のネットワークエンティティーは第１のネットワークから受信されたダウンリンクデータをＭＳＳに伝送する（ステップＳ１５０）。
【００５７】
ステップＳ１０〜ステップＳ１５０はダウンリンクトラフィックがアイドルモードの間に存在する時のネットワークでの動作を説明する。アイドルモードでアップリンクトラフィックがＭＳＳに対して発生した場合、任意のステップＳ７０、ステップＳ８０、ステップＳ９０、ステップＳ１５０は動作から排除される。
【００５８】
図４は、ＭＳＳがアイドルモードへの進入を要請してネットワークエンティティーにセッション情報を保持することを要請する時のシグナリングプロセスを示す。図４は、本発明の他の実施形態として、ＭＳＳが他のページンググループに移動した後のアイドルモードでＭＳＳのロケーションの更新と関連されたプロセスを説明する。
【００５９】
図４を参考すれば、ＭＳＳはＤＲＥＧ−ＲＥＱメッセージを通じてアイドルモードに進入するための要請を第１のネットワークエンティティーに伝送する（ステップＳ２１０）。要請メッセージには、ＭＳＳがネットワークエンティティーがネットワークに対する促進された今後の再進入のために保持されることを優先するＭＳＳ優先セッション情報が含まれる。ネットワークエンティティーはＢＳまたはページング制御器である。上述のように、ネットワークエンティティーは、基地局、ページング制御器、アクセスゲートウェイまたは基地局制御器である。ＭＳＳ優先セッション情報は、保安情報、ＩＰアドレス情報、ＭＳＳ能力、管理連結識別及びネットワークサービスを維持するために必須的な情報のような情報を含む。優先セッション情報メッセージは、表１のメッセージと類似なフォーマットである。
【００６０】
上述のように、第１のネットワークエンティティー及び第２のネットワークエンティティーの識別については図３を参照して説明した。第１のネットワークエンティティーは、要請メッセージを受信した後、ページンググループで同一ページング識別を有するすべての他のネットワークエンティティーにバックボーンチャンネルを通じて通知をブロードキャストすることにより、対応するＭＳＳをページンググループ内の各々のネットワークエンティティーに付加させる（ステップＳ２２０）。その後、第１のネットワークエンティティーは要請メッセージに応答してＤＲＥＧ−ＣＭＤを通じて選択されたセッション情報を対応するＭＳＳに伝送する（ステップＳ２３０）。選択されたセッション情報は、アイドルモードから今後のＭＳＳネットワーク再進入を促進するために有用な任意のＭＳＳサービス及び動作情報を含む。選択されたセッション情報は、ＭＳＳにより要請された優先セッション情報と同一であるか、異なるかまたはこれらの組み合わせである選択されたセッション情報のリストである。また、ＤＲＥＧ−ＣＭＤを伝送する時、ページングサイクル、ページングオフセット及びページング識別のような他の情報を含むことができる。ＤＲＥＧ−ＣＭＤはＭＳＳが要請されたアイドルモードに進入することを許容するコマンドまたはメッセージである。
【００６１】
第１のネットワークエンティティーからＤＲＥＧ−ＣＭＤを受信する時、ＭＳＳはアイドルモードに進入する。アイドルモードの間、ＭＳＳは第１のネットワークエンティティーから特定時間スロットまたは間隔でページングメッセージを受信できる（ステップＳ２４０）。ページングメッセージは任意のダウンリンクトラフィックが存在するかまたはアイドルモードを終了する時のような各種情報を含む。
【００６２】
アイドルモードの間、ＭＳＳが同一ページンググループ識別を有するページンググループまたは複数のページンググループ識別を有するページンググループ内で他のネットワークエンティティー（以下、“第２のネットワークエンティティー”）に移動することが可能である。ＭＳＳが同一ページング識別を有する同一ページンググループ内の第２のネットワークエンティティーに移動する場合（ステップＳ２５０）、ＭＳＳは同一ページングサイクルで第２のネットワークエンティティーからページングメッセージと第１のネットワークエンティティーから受信されたページングオフセットとを受信する（ステップＳ２６０）。
【００６３】
ネットワークエンティティーが一つのページンググループにだけ属するようにセルカバレージ領域が設計された場合、一つ以上のページンググループ識別を有するページンググループに移動するネットワークエンティティーは、例えば、２個のページンググループの間の転移時にネットワークエンティティーで言及される。
【００６４】
また、ＭＳＳは第２のネットワークエンティティーが第１のページンググループとは異なるページンググループ識別を有する第２のページンググループに属するを学習する。第２のネットワークエンティティーはページングメッセージを通じて属するページンググループに対応するページンググループ識別を伝送する。ネットワークエンティティーが一つのページンググループにだけ属するようにセルカバレージ領域が設計された場合、例えば、近隣ページンググループのページンググループ識別を伝送することが可能である。
【００６５】
異なるページンググループ識別を有したページングメッセージを受信した後、ＭＳＳはＲＮＧ−ＲＥＱメッセ  ジを通じて第２のネットワークエンティティーからロケーション更新を要請する（ステップＳ２７０）。ロケーション更新要請に付け加えて、ＲＮＧ−ＲＥＱメッセ  ジは、ＭＳＳのアイドルモードへの進入を許容する第１のネットワークエンティティーの識別、第２のページンググループのページンググループ識別、所定のページングサイクルのような他の情報を含むことができる。ネットワークエンティティーが一つのページンググループにだけ属するようにセルカバレージ領域が設計された場合、ＭＳＳは他のページンググループに移動する時、以前ページング情報を通じてページングメッセージを受信することができないので、  例えば、新しいネットワークエンティティーに対するロケーション更新を要請する。
【００６６】
第２のネットワークエンティティーは、ＭＳＳからロケーション更新要請を受信した後、第１のネットワークエンティティーにより現在保持された選択されたセッション情報を伝送するために第１のネットワークエンティティーに要請を伝送する（ステップＳ２８０）。第１のネットワークエンティティーは、現在保持された選択されたセッション情報を要請時ごとに第２のネットワークエンティティーに伝送する（ステップＳ２９０）。
【００６７】
第２のネットワークエンティティーは、ＭＳＳのロケーションが更新された後でもＲＮＧ−ＲＳＰメッセ  ジを通じてＭＳＳの保持されたセッション情報のリストを伝送する（ステップＳ３００）。ＲＮＧ−ＲＳＰメッセ  ジには、第２のページンググループ識別及び対応するページングサイクル及びページングオフセット値のような他の情報がある。その結果、対応するＭＳＳは第２のページンググループ識別によってページングメッセージを受信することができる。また、第２のネットワークエンティティーは、ＲＮＧ−ＲＳＰメッセ  ジを通じて第２のネットワークエンティティーにより現在保持されたセッション情報をＭＳＳに伝送する。その結果、ＭＳＳがネットワークに対する再進入を実行する時、ネットワークに対する再進入のために要求される任意の手続き段階はスキップできる。言い換えると、第２のネットワークエンティティーが任意のＭＳＳサービス及び動作情報を保持するので、同一情報はネットワークに対する再進入時に要求されない。同時に、ＭＳＳはネットワーク再進入時にＭＳＳによりスキップできる手続き段階をＲＮＧ−ＲＳＰメッセ  ジを通じて受信する。
【００６８】
ＭＳＳは、ＲＮＧ−ＲＳＰメッセ  ジを通じて第１のネットワークエンティティーから保持されたセッション情報を受信した後、  その以上は有効ではないまたは更新されない情報を更新するために必要なネットワーク進入手続きを行うことができる（ステップＳ３１０）。第２のネットワークエンティティーは、バックボーンネットワークを利用して第１のページンググループの他のネットワークエンティティーに、ＭＳＳが他のページンググループに再割り当られると通知し、ＭＳＳに関する情報を削除する（ステップＳ３２０）。同時に、第２のネットワークエンティティーは、第２のネットワークページンググループのネットワークエンティティーに、バックボーンネットワークを通じてＭＳＳと関連された情報を付け加えたと通知する。ＭＳＳにおいて、ＭＳＳは第２のページンググループから特定間隔でページングメッセージを受信し、アイドルモードを維持する（ステップＳ３３０）。
【００６９】
上述のように、ＭＳＳのロケーションが第１のネットワークエンティティーから第２のネットワークエンティティーに更新された場合、ＭＳＳに向けるダウンリンクデータは、第２のネットワークエンティティーにより受信され、第１のネットワークエンティティーではないＭＳＳのロケーションを更新する。
【００７０】
図５は、本発明の他の実施形態によるシグナリングプロセスを示す。ここで、ダウンリンクトラフィックは、ＭＳＳがＤＲＥＧ−ＣＭＤメッセージを通じてアイドルモードに進入するためにＭＳＳに対するネットワークエンティティーによるコマンドの結果として、アイドルモードはＭＳＳが進入する環境に存在する。
【００７１】
本実施形態において、ネットワークエンティティーは、ＭＳＳがアイドルモードに進入するためにネットワークエンティティーに対する要請を伝送する以前実施形態とは相異にアイドルモードに進入するようにＭＳＳに指示する。ここで、アイドルモードに進入するためのコマンドはＤＲＥＧ−ＣＭＤメッセージを通じて伝送される。ＤＲＥＧ−ＣＭＤは、０ｘ０５で設定されたアクションコード及びアイドルモードに進入するためにＭＳＳに対する時間を特定する必要持続時間（ＲＥＱ−持続時間）を含む。
【００７２】
特に、第１のネットワークエンティティーはＭＳＳにＤＲＥＧ−ＣＭＤメッセージを通じてＭＳＳ優先セッション情報を伝送するように要請する。ＤＲＥＧ−ＲＥＱはＭＳＳが要請されたメッセージを伝送する特定時間を含む。第１のネットワークエンティティーからＤＲＥＧ−ＣＭＤを受信した後、ＭＳＳはＤＲＥＧ−ＲＥＱメッセージを通じて第１のネットワークに対する特定時間で要請されたＭＳＳ優先セッション情報をネットワークエンティティーに伝送する（ステップＳ４２０）。ＭＳＳ優先セッション情報は、保安情報、ＩＰアドレス情報、ＭＳＳ能力、管理連結識別及びネットワークサービスを維持するために必須的な情報のような情報を含む。ＭＳＳ優先セッション情報はネットワークエンティティーがネットワークに対する促進された今後の再進入のために保持することをＭＳＳが優先するセッション情報のリストである。
【００７３】
上述のように、第１のネットワークエンティティー及び第２のネットワークエンティティーの識別については図３を参照して説明した。要請メッセージを受信した後、第１のネットワークエンティティーは、ページンググループで同一ページング識別を有するすべての他のネットワークエンティティーにバックボーンチャンネルを通じて通知をブロードキャストすることにより、対応するＭＳＳをページンググループ内の各々のネットワークエンティティーに付加できる（ステップＳ４３０）。その後、要請メッセージに応答して第１のネットワークエンティティーは、ＤＲＥＧ−ＣＭＤを通じて選択されたセッション情報を対応するＭＳＳに伝送する（ステップＳ４４０）。選択されたセッション情報はアイドルモードから今後のＭＳＳネットワーク再進入を促進するたいめに有用な任意のＭＳＳサービス及び動作情報を含む。選択されたセッション情報はＭＳＳにより要請された優先セッション情報と同一であるか、異なるかまたはこれらの組み合わせである選択されたセッション情報のリストである。また、ＤＲＥＧ−ＣＭＤの伝送時に、ページングサイクル、ページングオフセット及びページング識別のような他の情報を含むことができる。ＤＲＥＧ−ＣＭＤはＭＳＳが要請されたアイドルモードに進入することを許容するコマンドまたはメッセージである。
【００７４】
ＭＳＳは、第２のネットワークエンティティーからＤＲＥＧ−ＣＭＤを受信する時、アイドルモードに進入する。アイドルモードの間、ＭＳＳは第１のネットワークエンティティーから特定時間スロットまたは間隔でページングメッセージを受信できる（ステップＳ４５０）。ページングメッセージは任意のダウンリンクトラフィックが存在するか否かまたはアイドルモードを終了する時のような各種情報を含む。
【００７５】
アイドルモードの間、ＭＳＳが同一ページンググループ識別を有するページンググループまたは複数のページンググループ識別を有するページンググループ内で他のネットワークエンティティー（以下、“第２のネットワークエンティティー”）に移動することが可能である。ＭＳＳが同一ページング識別を有する同一ページンググループ内の第２のネットワークエンティティーに移動する場合（ステップＳ４６０）、ＭＳＳは同一ページングサイクルで第２のネットワークエンティティーからページングメッセージと第１のネットワークエンティティーから受信されたページングオフセットとを受信する（ステップＳ４７０）。
【００７６】
ダウンリンクトラフィックが第１のネットワークエンティティーに到逹する時と、第１のネットワークエンティティーがダウンリンクトラフィックをＭＳＳに通知する時（ステップＳ４８０）、第１のネットワークエンティティーは、バックボーンネットワークを通じてダウンリンクトラフィックの存在とともにセッション情報をページンググループ内の他のネットワークエンティティーに伝送する（ステップＳ４９０）。ここで、バックボーンチャンネルを通じてページンググループ内の他のネットワークエンティティーに伝送する選択されたセッション情報は選択されたセッション情報のリストである。
【００７７】
第２のネットワークエンティティーは、第１のネットワークエンティティーから選択されたセッション情報を受信した後、選択されたセッション情報及びダウンリンクトラフィックの存在を含むページングメッセージをＭＳＳに伝送する（ステップＳ５５０）。ＭＳＳはＭＳＳにアイドルモードへの進入を許容する第１のネットワークエンティティーの識別をＲＮＧ−ＲＥＱメッセ  ジを通じて第２のネットワークエンティティーに伝送する（ステップＳ５１０）。
【００７８】
第２のネットワークエンティティーは、第１のネットワークエンティティーの識別を受信した後、ＭＳＳがカバレージ領域に位置し、第１のエンティティーが第１のネットワークエンティティーにより保持された対応するＭＳＳのセッション情報の伝送を要請することを第１のネットワークエンティティーに通知する（ステップＳ５２０）。
【００７９】
第１のネットワークエンティティーは、バックボーンチャンネルを通じて保持されたセッション情報を伝送することにより要請に応じる（ステップＳ５３０）。また、第２のネットワークエンティティーは、ＲＮＧ−ＲＳＰメッセ  ジを通じて第２のネットワークエンティティーにより現在保持されたセッション情報のリストをＭＳＳに伝送する（ステップＳ５４０）。その結果、ＭＳＳがネットワークに対する再進入を実行する時、ネットワークに対する再進入に要求される任意の手続き段階はスキップできる。言い換えると、第２のネットワークエンティティーが任意のＭＳＳサービス及び動作情報を保持するので、同一情報はネットワークに対する再進入に要求されない。同時に、ＭＳＳはネットワーク再進入時にＭＳＳによりスキップできる手続き段階をＲＮＧ−ＲＳＰメッセ  ジを通じて受信する。
【００８０】
第２のネットワークエンティティーから提供された情報に基礎してネットワークエンティティーまたは再進入手続きを行う（ステップＳ５５０）。ネットワーク登録の手続き段階は、例えば、ＭＳＳ能力の交渉手続き、保安手続き、登録手続き、ＩＰアドレス取得手続きなどを含む。また、データ受信のための連結を構築するため、ＭＳＳはネットワーク進入手続きと結合して必要な手続きを実行する。ネットワーク進入（または再進入）及びデータ受信のための手続きが完了された後、第２のネットワークエンティティーは第１のネットワークから受信されたダウンリンクデータをＭＳＳに伝送する（ステップＳ５６０）。
【００８１】
ステップＳ４１０〜ステップＳ５６０は、ダウンリンクトラフィックがアイドルモードの間に存在する時のネットワークでの動作を説明する。アップリンクトラフィックがアイドルモードでＭＳＳに対して発生した場合、任意のステップＳ４８０、ステップＳ４９０、ステップＳ５００、ステップＳ５６０は動作から排除される。
【００８２】
図６は、本発明の他の実施形態によるシグナリングプロセスを示す。ここで、ダウンリンクトラフィックはＭＳＳがＤＲＥＧ−ＣＭＤメッセージを通じてアイドルモードに進入するためにＭＳＳに対するネットワークエンティティーによるコマンドの結果として、アイドルモードはＭＳＳが進入する環境に存在する。また、本実施形態は、ＭＳＳが他のページンググループに移動した後のアイドルモードでのＭＳＳのロケーション更新と関連されるプロセスを説明する。
【００８３】
本実施形態において、ネットワークエンティティーは、ＭＳＳがアイドルモードに進入するためにネットワークエンティティーに対する要請を伝送する以前実施形態とは相異にアイドルモードに進入するようにＭＳＳに指示する。ここで、アイドルモードに進入するコマンドはＤＲＥＧ−ＣＭＤメッセージを通じて伝送される。ＤＲＥＧ−ＣＭＤは０ｘ０５で設定されたアクションコード及びアイドルモードに進入するためにＭＳＳに対する時間を特定する必要持続時間（ＲＥＱ−持続時間）を含む。
【００８４】
特に、第１のネットワークエンティティーは、ＭＳＳにＤＲＥＧ−ＣＭＤメッセージを通じてＭＳＳ  優先セッション情報の伝送を要請する。ＤＲＥＧ−ＲＥＱはＭＳＳが要請されたメッセージを伝送する特定時間を含む。第１のネットワークエンティティーからＤＲＥＧ−ＣＭＤを受信した後、ＭＳＳはＤＲＥＧ−ＲＥＱメッセージを通じて第１のネットワークに対する特定時間で要請されたＭＳＳ優先セッション情報をネットワークエンティティーに伝送する（ステップＳ６２０）。ＭＳＳ優先セッション情報は、保安情報、ＩＰアドレス情報、ＭＳＳ能力、管理連結識別及びネットワークサービスを維持するために必須な情報のような情報を含む。ＭＳＳ優先セッション情報はネットワークエンティティーがネットワークに対する促進された今後の再進入のために保持することをＭＳＳが優先するセッション情報のリストである。
【００８５】
上述のように、第１のネットワークエンティティー及び第２のネットワークエンティティーの識別については図３を参照して説明した。要請メッセージを受信した後、第１のネットワークエンティティーは、ページンググループで同一ページング識別を有するすべての他のネットワークエンティティーにバックボーンチャンネルを通じて通知をブロードキャストすることにより、対応するＭＳＳをページンググループ内の各々のネットワークエンティティーに付加できる（ステップＳ６３０）。その後、第１のネットワークエンティティーは、要請メッセージに応答してＤＲＥＧ−ＣＭＤを通じて選択されたセッション情報を対応するＭＳＳに伝送する（ステップＳ６４０）。選択されたセッション情報はアイドルモードから今後のＭＳＳネットワーク再進入を促進するために有用な任意のＭＳＳ  サービス及び動作情報を含む。選択されたセッション情報はＭＳＳにより要請された優先セッション情報と同一であるか、異なるかまたはこれらの組み合わせである選択されたセッション情報のリストである。また、ＤＲＥＧ−ＣＭＤを伝送する時、ページングサイクル、ページングオフセット及びページング識別のような他の情報を含むことができる。ＤＲＥＧ−ＣＭＤはＭＳＳが要請されたアイドルモードに進入することを許容するコマンドまたはメッセージである。
【００８６】
第１のネットワークエンティティーからＤＲＥＧ−ＣＭＤを受信する時、ＭＳＳはアイドルモードに進入する。アイドルモードの間、ＭＳＳは第１のネットワークエンティティーから特定時間スロットまたは間隔でページングメッセージを受信することができる（ステップＳ６５０）。ページングメッセージは任意のダウンリンクトラフィックが存在するか否かまたはアイドルモードを終了する時のような各種情報を含む。
【００８７】
アイドルモードの間、ＭＳＳが同一ページンググループ識別を有するページンググループまたは複数のページンググループ識別を有するページンググループ内で他のネットワークエンティティー（以下、“第２のネットワークエンティティー”）に移動することが可能である。ＭＳＳが同一ページング識別を有する同一ページンググループ内の第２のネットワークエンティティーに移動する場合（ステップＳ６６０）、ＭＳＳは同一ページングサイクルで第２のネットワークエンティティーからページングメッセージと第１のネットワークエンティティーから受信されたページングオフセットとを受信する（ステップＳ６７０）。
【００８８】
ネットワークエンティティーが一つのページンググループにだけ属するようにセルカバレージ領域が設計された場合、一つ以上のページンググループ識別を含むページンググループに移動するネットワークエンティティーは、例えば、２個のページンググループの間で転移する時ネットワークエンティティーを言及する。
【００８９】
また、ＭＳＳが、第２のネットワークエンティティーが第１のページンググループとは異なるページンググループ識別を有する第２のページンググループに属することを学習する。第２のネットワークエンティティーは、ページングメッセージを通じて属するページンググループに対応するページンググループ識別を伝送する。ネットワークエンティティーが一つのページンググループにだけ属するようにセルカバレージ領域が設計された場合、例えば、近隣ページンググループのページンググループ識別を伝送することが可能である。
【００９０】
異なるページンググループ識別を有したページングメッセージを受信した後、ＭＳＳはＲＮＧ−ＲＥＱメッセ  ジを通じて第２のネットワークエンティティーからロケーション更新を要請する（ステップＳ６８０）。ロケーション更新要請に付け加えて、ＲＮＧ−ＲＥＱメッセ  ジは、ＭＳＳがアイドルモードに進入することを許容する第１のネットワークエンティティーの識別、第２のページンググループのページンググループ識別、所定のページングサイクルのような他の情報を含むことができる。ネットワークエンティティーが一つのページンググループにだけ属するようにセルカバレージ領域が設計された場合、ＭＳＳは他のページンググループに移動する時、以前ページング情報を通じてページングメッセージを受信することができないので、例えば、新しいネットワークエンティティーに対するロケーション更新を要請する。
【００９１】
第２のネットワークエンティティーは、ＭＳＳからロケーション更新要請を受信した後、第１のネットワークエンティティーにより現在保持された選択されたセッション情報を伝送するために第１のネットワークエンティティーに要請を伝送する（ステップＳ６９０）。  第１のネットワークエンティティーは、現在保持された選択されたセッション情報を要請時ごとに第２のネットワークエンティティーに伝送する（ステップＳ７００）。
【００９２】
第２のネットワークエンティティーは、ＭＳＳのロケーションが更新された後でもＲＮＧ−ＲＳＰメッセ  ジを通じてＭＳＳの保持されたセッション情報のリストを伝送する（ステップＳ７１０）。ＲＮＧ−ＲＳＰメッセ  ジには、第２のページンググループ識別、対応するページングサイクル及びページングオフセット値のような他の情報がある。その結果、対応するＭＳＳは第２のページンググループ識別によってページングメッセージを受信することができる。また、第２のネットワークエンティティーはＲＮＧ−ＲＳＰメッセ  ジを通じて第２のネットワークエンティティーにより現在保持されたセッション情報をＭＳＳに伝送する。その結果、ＭＳＳがネットワークに対する再進入を実行する時、ネットワークに対する再進入のために要求される任意の手続き段階はスキップできる。言い換えると、第２のネットワークエンティティーが任意のＭＳＳサービス及び動作情報を保持するので、同一情報はネットワークに対する再進入に要求されない。同時に、ＭＳＳはネットワーク再進入時にＭＳＳによりスキップできる手続き段階をＲＮＧ−ＲＳＰメッセ  ジを通じて受信する。
【００９３】
ＲＮＧ−ＲＳＰメッセ  ジを通じて第２のネットワークエンティティーから保持されたセッション情報を受信した後、ＭＳＳはその以上は有効ではないまたは更新されない情報を更新するために必要なネットワーク進入手続きを行うことができる（ステップＳ７２０）。第２のネットワークエンティティーは、バックボーンネットワークを利用して第１のページンググループの他のネットワークエンティティーに、ＭＳＳが他のページンググループに再割り当てられると通知し、ＭＳＳに関連された情報を削除する（ステップＳ７３０）。同時に、第２のネットワークエンティティーは、第２のネットワークページンググループのネットワークエンティティーに、バックボーンネットワークを通じてＭＳＳと関連された情報を付け加えたと通知する。ＭＳＳにおいて、ＭＳＳは第２のページンググループから特定間隔でページングメッセージを受信し、アイドルモードを維持する（ステップＳ７４０）。
【００９４】
上述のように、ＭＳＳのロケーションが第１のネットワークエンティティーから第２のネットワークエンティティーに更新された場合、ＭＳＳに向けるダウンリンクデータは第２のネットワークエンティティーにより受信され、第１のネットワークエンティティーではないＭＳＳのロケーションを更新する。
【００９５】
上述の説明は、アイドルモードからＭＳＳの再進入を促進する更新セッション情報を含む、アイドルモードのためのネットワーク進入時のネットワークエンティティー及びＭＳＳの動作／手続きに関する。以下、アイドルモードの間にダウンリンクトラフィックを効率的に受信するためのアイドルモード進入以前のＭＳＳの動作に関して説明する。
【００９６】
通常モードの間、ルータ宛先またはターゲットＩＰアドレスを利用してＭＳＳにデータを伝送するために、ＭＳＳリンク層アドレス（例えば、ＭＡＣアドレスまたはイーサネット（登録商標）アドレス）をサーチする。これを達成するために、ルータアドレス要請をネットワークエンティティーに伝送する。ここで、ルータは、ＩＰのバージョン４（ＩＰｖ４）でＡＲＰ要請を伝送し、ＩＰのバージョン６（ＩＰｖ６）で近隣要請（ｎｅｉｇｈｂｏｒｉｎｇ  ｓｏｌｉｃｉｔａｔｉｏｎ）を伝送する。
【００９７】
本発明の一実施形態において、ネットワークエンティティーがルータからアドレス要請メッセージを受信した後、ネットワークエンティティーは複数のＭＳＳにブロードキャストするか、またはアドレス要請メッセージを各々のＭＳＳに個別的に伝送する。その後、ネットワークエンティティーは、ＭＳＳから応答メッセージ、例えば、ＡＲＰ応答メッセージまたは近隣通知応答メッセージを受信し、応答メッセージをルータに伝送する。アドレス要請メッセージには、例えば、ＭＡＣアドレスまたはイーサネット（登録商標）アドレスを含む。  ＭＳＳのＭＡＣまたはイーサネット（登録商標）アドレスは、アドレス要請メッセージを受信する複数のＭＳＳからアドレス要請メッセージに含まれたＭＡＣまたはイーサネット（登録商標）アドレスとマッチングすることができる。マッチングされたＭＡＣアドレスを具備したＭＳＳは、２次管理連結または一般的なデータバーストを通じて応答メッセージをネットワークエンティティーに伝送する。
【００９８】
また、本発明の一実施形態において、ネットワークエンティティーは、スリープ／アイドルモードでＭＳＳのプロキシＡＲＰ応答メッセージ（またはプロキシ近隣通知）をルータに伝送することができる。言い換えると、ネットワークエンティティーは、例えば、ＭＳＳのエージェントとしてルータによる要請に直ちに応答することができる。ルータに応答するネットワークエンティティーで、ＭＳＳはＭＯＢ−ＳＬＰ−ＲＥＱメッセージまたはＤＲＥＧ−ＲＥＱメッセージ内にそのＩＰアドレスを含み、これをネットワークエンティティーに伝送する。また、ＭＳＳはスリープ／アイドルモードへの進入がネットワークエンティティーにより要請される時、スリープ／アイドルモードに進入する以前にそのＩＰアドレスをネットワークエンティティーに提供する。本発明の実施形態は、ＩＰｖ４に制限されないでＮＤプロトコルを利用するＩＰｖ６に適用することもできる。
【００９９】
本発明の実施形態において、ネットワークエンティティーは、プロキシＡＲＰまたはプロキシＮＤプロトコルを利用してＭＳＳがスリープモードまたはアイドルモードにあるうちにネットワークエンティティーに伝送されるデータを有する。上述のように、ネットワークエンティティーは、基地局、ページング制御器、アクセスゲートウェイまたは基地局制御器である。図面において、基地局（ＢＳ）は実施形態を説明するためのネットワークエンティティーの一例として利用される。以前実施形態で、ネットワークエンティティーはＡＲＰまたはＮＤ関連メッセージをＭＳＳに伝送する。プロセスで、データはＭＳＳがスリープまたはアイドルモードにある場合には、宛先ＭＳＳに到逹することができない。しかし、本実施形態で、ネットワークエンティティーはルータからＡＲＰ要請または近隣要請に直接応答することができる。そのために、ネットワークエンティティーはＭＳＳのＩＰアドレス及びリンク層アドレス（ＭＡＣアドレスまたはイーサネット（登録商標）アドレス）を処理しなければならない。
【０１００】
ネットワークエンティティーは、アドレスを所有するために、ＭＳＳがスリープモードまたはアイドルモードに進入するために、またはＭＳＳＩＰアドレス設定を検索することによりネットワークエンティティーと登録する時、ＭＳＳＩＰアドレス及びリンク層アドレスを取得することができる。特に、ネットワークエンティティーは、ＭＳＳが要請メッセージを通じてＩＰアドレスを伝送する時、ＭＳＳからＩＰアドレスを直接受信することによりＩＰアドレスを取得することができる。また、ネットワークエンティティーは、ネットワークエンティティーが現在保持しているＩＰアドレスの利用を要請するＭＳＳによりＩＰアドレスを取得することができる。言い換えると、ＭＳＳはＩＰアドレスを伝送しないでネットワークエンティティーに保持されたＩＰアドレスを維持する。また、ネットワークエンティティーは、ＩＰ及びリンク層アドレスのためにＭＳＳに直接的に要請することにより情報を取得することができる。
【０１０１】
図７は、ＭＳＳがスリープモードに自発的に進入する時のルータのリンク層アドレス取得プロセスを示す。図７を参考すれば、ＭＳＳはＭＯＢ−ＳＬＰ−ＲＥＱメッセージをネットワークエンティティーに伝送してスリープモードへの進入を要請する（ステップＳ３−０）。  ＭＳＳは要請メッセージにルータから可能な今後のＡＲＰ要請に応答するように許容するそのＩＰアドレスを含む。ネットワークエンティティーは要請に応答してＭＯＢ−ＳＬＰ−ＲＳＰメッセージをＭＳＳに伝送する（ステップＳ３−１）。
【０１０２】
ネットワークエンティティーから応答メッセージを受信する時、ＭＳＳはＭＯＢ−ＳＬＰ−ＲＳＰメッセージで特定された持続時間の間スリープモードに進入する。スリーピング間隔後、ＭＳＳは聴取間隔（Ｌ１）の間機動し、ネットワークエンティティーからＭＯＢ−ＴＲＦ−ＩＮＤメッセージを受信して任意のダウンリンクデータが受信されるか否かを判定する。受信されるダウンリンクデータがなければ、ＭＳＳは増加されたスリーピング間隔（２＊Ｎ１）の間スリープモードに再進入する。ここで、スリーピング間隔は聴取間隔以後に特定量（すなわち、以前スリーピング間隔の２倍）ほど増加する。
【０１０３】
図８は、ＭＳＳがネットワークエンティティーからコマンドの結果としてスリープモードに進入する時のルータのリンク層アドレス取得プロセスを示す。図８を参考すれば、このプロセスは、図７と類似である。しかし、図８では要請メッセージを通じてＭＳＳ  ＩＰアドレスを提供しないで、ＭＳＳ  ＩＰアドレスはスリープモードへの進入がネットワークエンティティーにより決定されるので、情報メッセージを通じて伝送される。アイドルモードに進入するためにＭＳＳがＤＲＥＧ−ＣＭＤメッセージを受信した後、ＤＲＥＧ−ＲＥＱメッセージ及びＤＲＥＧ−ＲＳＰメッセージを伝送するプロセスを繰り返すことが可能である。この場合に、ＭＳＳ  ＩＰアドレスはＤＲＥＧ−ＲＥＱメッセージを通じて伝送される。
【０１０４】
図９は、ＭＳＳが自発的にアイドルモードに進入する時のルータのリンク層アドレス取得プロセスを示す。図９で、ＭＳＳはアイドルモードに進入するためにＤＲＥＧ−ＲＥＱメッセージを第１のネットワークエンティティーに伝送し、第１のネットワークエンティティーは、これに応答してＤＲＥＧ−ＣＭＤメッセージを伝送してＭＳＳがスリープモードに進入することを許容する（ステップＳ４−０）。  ＭＳＳは、アイドルモードにある時にＢＳがＭＳＳを参考しないでルータのＡＲＰ要請に応答できるように第１のネットワークエンティティーに対するＩＰアドレスをＤＲＥＧ−ＲＥＱメッセージに含む。
【０１０５】
ＭＳＳが第１のネットワークエンティティー（またはホストＢＳ）から登録解除された後、第１のネットワークエンティティーはＭＳＳがアイドルモードに進入する同一ページングゾーン内のすべての他のＢＳにブロードキャストする（ステップＳ４−１）。ブロードキャストを受信するＢＳはＭＳＳ情報をそのページングリストに付け加える。
【０１０６】
ルータがＩＰパケットを受信する時、ルータはＡＲＰ要請をホストＢＳに伝送してＭＳＳの宛先ＩＰアドレスのＭＡＣアクセスを決定する（ステップＳ４−２）。応答する時、ホストＢＳはＭＳＳの必須的なＩＰアドレス情報を有するのでＭＳＳのルータにＡＲＰ応答メッセージを伝送する（ステップＳ４−３）。
【０１０７】
ＡＲＰ応答メッセージを受信する時、ルータはＩＰパケットをホストＢＳに伝送する。その後、ホストＢＳはＭＳＳのためのダウンリンクデータがあることを通知するページングアナウンスメントをページングゾーン内のすべてのＢＳに伝送する（ステップＳ４−４）。ページングアナウンスメントを受信した後、セルカバレージ領域でＭＳＳを有するＢＳは特定ページングサイクルでページングメッセージをＭＳＳに伝送する（ステップ４−５）。
【０１０８】
図１０は、本発明の他の実施形態を示す。図１０は、ＭＳＳがネットワークエンティティーからのコマンドの結果としてスリープモードに進入する時のルータのリンク層アドレス取得プロセスを示す。図１０を参考すれば、ＭＳＳとネットワークエンティティーとの間に通信するプロセスは、図９と類似である。しかし、図１０では、要請メッセージを通じてＭＳＳＩＰアドレスを提供しないで、ＭＳＳＩＰアドレスはスリープモードへの進入をネットワークエンティティーにより決定するので、情報メッセージを通じて伝送される。アイドルモードに進入するためにＭＳＳがＤＲＥＧ−ＣＭＤメッセージを受信した後にＤＲＥＧ−ＲＥＱメッセージ及びＤＲＥＧ−ＲＳＰメッセージを伝送するプロセスを繰り返すことが可能である。この場合に、ＭＳＳＩＰアドレスはＤＲＥＧ−ＲＥＱメッセージを通じて伝送される。
【０１０９】
本発明の他の実施形態において、ＭＳＳはＣＳ（Ｃｏｎｖｅｒｇｅｎｃｅ  ｓｕｂｌａｙｅｒ）情報を保持するためにネットワークエンティティーに対して要請を行う。ＣＳは典型的に下部層により処理できる上位層情報の収集及び形成を担当する２層のプロトコルである。
【０１１０】
図１１は、ＭＳＳがアイドルモードに自発的に進入する時のルータのリンク層アドレス取得プロセスの他の実施形態を示す。図１１を参考すれば、本実施形態の動作及びプロセスは図９のプロセスと類似である。したがって、図９の実施形態と同一なプロセスに関する説明を省略する。
【０１１１】
本実施例形態でおいて、ＭＳＳはアイドルモードに進入するためにＤＲＥＧ−ＲＥＱメッセージを第１のネットワークエンティティーに伝送し、第１のネットワークエンティティーは、これに応答してＭＳＳがスリープモードに進入することを許容するようにＤＲＥＧ−ＣＭＤメッセージを伝送する（ステップＳ５−０）。ＭＳＳはＣＳ（ｃｏｎｖｅｒｇｅｎｃｅ  ｓｕｂｌａｙｅｒ）情報を保持するための要請をＤＲＥＧ−ＲＥＱメッセージに含む。第１のネットワークエンティティーがＣＳ情報を保持することにより、第１のネットワークエンティティーはダウンリンクトラフィックとの連結においてアイドルモード内のＭＳＳと接触する必要ないので、ルータからの要請に応答することができる。実際に、ダウンリンクトラフィックは一層効率的に伝達でき、ネットワークリソースは一層よく活用できる。上述のように、他のプロセスは、図９のプロセスと同一である。
【０１１２】
また、図１２は、本発明の他の実施形態を示す。この実施形態では、ＭＳＳがネットワークエンティティーからのコマンドの結果としてスリープモードに進入する時のルータのリンク層アドレス取得プロセスを示す。図１２を参考すれば、ＭＳＳとネットワークエンティティーとの間に通信するプロセスは、図１１のプロセスと類似である。しかし、図１２では、要請メッセージを通じてＭＳＳ  ＩＰアドレスを提供しないで、ＭＳＳが要請メッセージを第１のネットワークエンティティーに伝送してＣＳ情報を保持する。このような要請は情報メッセージを通じてまたはＤＲＥＧ−ＲＥＱメッセージを通じて伝送できる。他のプロセスは、図１１と同一である。
【産業上の利用可能性】
【０１１３】
以上、本発明の詳細な説明においては具体的な実施形態に関して説明したが、形式や細部についての様々な変更が、特許請求の範囲の記載により規定されるような本発明の精神及び範囲から逸脱することなく行われることが可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【０１１４】
【図１】アイドルモードを終了してダウンリンクトラフィックを受信するために通常モードに復帰するＭＳＳを示した図である。
【図２】スリープモードを終了してダウンリンクトラフィックを受信するために通常モードに復帰するＭＳＳを示した図である。
【図３】ＭＳＳバウンドダウンリンクトラフィックがアイドルモードのうちに発生する時のシグナリングプロセスを示した図である。
【図４】ＭＳＳがアイドルモードに進入するように要請してセッション情報を保持するためにネットワークエンティティーに要請する時のシグナリングプロセスを示した図である。
【図５】ネットワークエンティティーがＭＳＳに指示してアイドルモードに進入してＭＳＳがセッション情報を保持するためにネットワークエンティティーを要請する時のシグナリングプロセスを示した図である。
【図６】ＭＳＳによる一つのページンググループから他のページンググループへのロケーション更新のシグナリングプロセスを示した図である。
【図７】ＭＳＳがスリープモードに自発的に進入する時のルータのリンク層アドレス取得プロセスを示した図である。
【図８】ＭＳＳがネットワークエンティティーからのコマンドの結果としてスリープモードに進入する時のルータのリンク層アドレス取得プロセスを示した図である。
【図９】ＭＳＳがアイドルモードに自発的に進入する時のルータのリンク層アドレス取得プロセスを示した図である。
【図１０】ＭＳＳがネットワークエンティティーからのコマンドの結果としてスリープモードに進入する時のルータのリンク層アドレス取得プロセスを示した図である。
【図１１】本発明の他の実施形態によるＭＳＳがアイドルモードに自発的に進入する時のルータのリンク層アドレス取得プロセスを示した図である。
【図１２】本発明の他の実施形態によるＭＳＳがネットワークエンティティーからのコマンドの結果としてスリープモードに進入する時のルータのリンク層アドレス取得プロセスを示した図である。
【図１】
2008503976.tif 000004
【図２】
2008503976.tif 000005
【図３】
2008503976.tif 000006
【図４】
2008503976.tif 000007
【図５】
2008503976.tif 000008
【図６】
2008503976.tif 000009
【図７】
2008503976.tif 000010
【図８】
2008503976.tif 000011
【図９】
2008503976.tif 000012
【図１０】
2008503976.tif 000013
【図１１】
2008503976.tif 000014
【図１２】
2008503976.tif 000015
【国際調査報告】
2008503976.tif 000016
2008503976.tif 000017
2008503976.tif 000018